(57)【要約】【課題】  従来の技術において、導電糸で編成してなる指サックで、タッチパネル操作においては問題ないと思われますが、単なる機能性のみで、指人形の遊び心や指人形の交換等ができないものである。また、指サックの先部に超極細繊維を使用してなるもので、前者と同様な作用・効果であり、指人形の遊び心や指人形の交換等ができないものである。【解決手段】  指人形の頭部後面に、指の先端の内面を露出するべく孔を設けてなることを特徴とする。【選択図】図１
2013230334.tif 000002
【特許請求の範囲】
【請求項１】
指人形の頭部後面に、指の先端の内面を露出するべく孔を設けてなることを特徴とする液晶タッチパネル用指人形。
【請求項２】
指人形の頭部後面で、指の先端の内面と当接する位置に、導電性繊維を縫い込んでなる導電部を設けてなる液晶タッチパネル用指人形。
【請求項３】
請求項１の液晶タッチパネル用指人形内に、先端部に導電性物質を設けてなる指サックを設けてなることを特徴とする液晶タッチパネル用指人形。
【請求項４】
指人形の頭部の形状が人間・動物・乗物・植物であることを特徴とする請求項１、２又は３記載の液晶タッチパネル用指人形。
【請求項５】
指人形が、汚れを除去する布あるいは毛糸で加工されていることを特徴とする請求項１、２、３又は４記載の液晶タッチパネル用指人形。
【発明の詳細な説明】
【技術分野】
【０００１】  本発明は、スマートフォン等の液晶タッチパネルの操作を楽しく行うための液晶タッチパネル用指人形に関するものである。
【背景技術】
【０００２】  従来の技術として、指先に装着可能な指サックの形状を有しており、導電性を有する導電糸を含んで編成されており、少なくとも指の付け根側の端部に、伸縮性を有する伸縮糸が編成されていることを特徴とするものがある。（特許文献１参照）【０００３】  また、別の従来技術として、指サックは、指になじみやすい布製で作成し、伸縮性・通気性に富んだ柔らかな皮膚感覚のポリエステル・ポリウレタン製の生地を使用し、筒状に形成する。指サックの先部は、パネルと指サックとの摩擦によって発生する静電気を起こしやすくするために、超極細繊維のアクリル性の素材を用いる。指サックの差し込み部は、締め付けすぎないゴム等でソフトな弾性を持たせる。指サックは小さくて失いやすいので、ゴム等の伸縮性のある細い紐で人差し指の指サックと、親指の指サックをつないでおくことを特徴とする液晶タッチパネル用指人形がある。（特許文献２参照）
【先行技術文献】
【特許文献】
【０００４】
【特許文献１】実用新案登録第３１７２０６０号
【特許文献２】実用新案登録第３１７０７２４号
【発明の概要】
【発明が解決しようとする課題】
【０００５】  上記前者の場合、導電糸で編成してなる指サックで、タッチパネル操作においては問題ないと思われますが、単なる機能性のみで、指人形としての遊び心や指人形の交換等ができないものである。【０００６】  上記後者においても、指サックの先部に超極細繊維を使用してなるもので、前者と同様な作用・効果であり、指人形としての遊び心や指人形の交換等ができないものである。【０００７】  本発明は、このような従来の構成が有していた問題を解決しようとするもので、指人形の頭部後面に孔を設けることにより、指先の内面を露出するのみでタッチパネル操作作業を指人形のキャラクターと遊びながら行なうことができる。
また、導電性繊維により指先も暖かく使用できる。
さらに、指人形の形態（人間・動物・乗物・植物）を変えることができ、より楽しく作業することができる液晶タッチパネル用指人形を提供することを目的とする。
【課題を解決するための手段】
【０００８】  本発明は、上記目的を達成するために、指人形の頭部後面に、指の先端の内面を露出するべく孔を設けてなること。指人形の頭部後面で、指の先端の内面と当接する位置に、導電性繊維を縫い込んでなる導電部を設けてなること。液晶タッチパネル用指人形内に、先端部に導電性物質を設けてなる指サックを設けてなること。指人形の頭部の形状が人間・動物・乗物・植物であることを特徴とすること。指人形が、汚れを除去する布あるいは毛糸で加工されていること。
【発明の効果】
【０００９】１）指人形の頭部後面に孔を設けることにより、そこから指先の内面を露出させて使用で    き、指人形と遊びながら楽しく作業することができ、左右の指に対応できる。
２）導電性繊維で孔位置を加工しているので、特に冬場は暖かく使用でき、かつ、一般の    手袋の上からも使用でき、専用の手袋を買う必要がない。
３）１）のものに、少なくとも先端部に導電加工した指サックを着脱自在に設けることに    より、どちらかが破損した場合でも取り替えができる。
４）指人形の頭部の形状が、人間・動物・乗物・植物等のバリエーションがあり、色々な    形態の頭部を形成でき、一層楽しくなる。
５）指人形で、タッチパネル面を清掃できる。
【図面の簡単な説明】
【００１０】
【図１】  本発明の第１実施例を示す液晶タッチパネル用指人形の側面図。
【図２】  本発明の第１実施例を示す液晶タッチパネル用指人形の背面図。
【図３】  本発明の第１実施例を示す液晶タッチパネル用指人形の正面図。
【図４】  本発明の第１実施例を示す液晶タッチパネル用指人形の指を入れた状態図。
【図５】  本発明の第１実施例を示す液晶タッチパネル用指人形の使用状態図。
【図６】  本発明の第２実施例を示す液晶タッチパネル用指人形の側面図。
【図７】  本発明の第２実施例を示す液晶タッチパネル用指人形の背面図。
【図８】  本発明の第２実施例を示す液晶タッチパネル用指人形の指を入れた状態図。
【図９】  本発明の第２実施例を示す液晶タッチパネル用指人形の使用状態図。
【図１０】  本発明の第３実施例を示す液晶タッチパネル用指人形の構成図。
【図１１】  本発明の第３実施例を示す液晶タッチパネル用指人形の側面図。
【発明を実施するための形態】
【００１１】  液晶タッチパネル用指人形１は、綿等の布により加工された指人形２のカエル顔の頭部２ａの後面に、指（図示せず）の先端内面を露出すべく孔３を設けてある。
なお、指人形２は、頭部２ａと指挿入孔２ｂを設けた挿入部２ｂとで構成される。
また、孔３と指挿入孔２ｂ１は連通している。（図１〜図３）
【００１２】  次に、上気液晶タッチパネル用指人形１の使用例について説明する。
まず、液晶タッチパネル用指人形１の挿入部２ｂより指挿入孔２ｂ１に沿って指Ｙｂを挿入し、先端の内面Ｎを孔３より露出させる。（図４）
この状態で、多機能携帯電話（通称スマートフォン）ＴＫの液晶タッチパネルＰに指Ｙｂの内面Ｎをタッチさせ、画面上のアイコン等を移動させることができるものである。（図４・図５）
【００１３】  つづいて、液晶タッチパネル用指人形２１について説明する。
上記液晶タッチパネル用指人形１と同様な、頭部２２ａと指挿入孔２ｂ１を設けた挿入部２２ｂから構成した指人形２２の前記孔３の位置に導電性繊維を縫い込んでなる導電部４を設けてある。（図６・図７）
【００１４】  上記液晶タッチパネル用指人形２１の使用例について説明する。
まず、液晶タッチパネル用指人形２１の挿入部２２ｂより指挿入孔２２ｂ１に沿って指Ｙｂ１を挿入し、先端の内面Ｎ１を導電部４に当接する。
この状態で、多機能携帯電話（通称スマートフォン）ＴＫ１の液晶タッチパネルｐ１に導電部４をタッチさせ、画面上のアイコン等を移動させることができるものである。（図８・図９）
【００１５】  最後に、液晶タッチパネル用指人形３１について説明する。
液晶タッチパネル用指人形３１は、前記液晶タッチパネル用指人形１と先端部に導電性繊維や導電性と両党による導電性物質５ａを加工した布製あるいはゴム製による指サック５とにより構成されるもので、指サック５の下端外側に、液晶タッチパネル用指人形１の指挿入孔２ｂ１に着脱自在に取り付けるべく貼着部５ｂを設けてある。（図１０・図１１）
【００１６】  この液晶タッチパネル用指人形３１は、液晶タッチパネル用指人形１と指サック５を着脱自在に設けることによりどちらかが破損した時も交換可能であり、かつ、色々な形状（形態）の液晶タッチパネル用指人形を使用できるものである。
【００１７】  なお、上記各実施例において液晶タッチパネル用指人形の頭部な形状は、例えば人間の顔や馬・パンダ・サル・クマ・犬・猫等の顔や、バラ・チューリップ・カーネーション等の植物（花）や自動車・汽車・電車・船等の乗物等、色々考えられるものである。
【符号の説明】
【００１８】１―――液晶タッチパネル用指人形
２―――指人形
３―――孔
４―――導電部
５―――指サック
ＴＫ――多機能携帯電話
Ｐ―――液晶タッチパネル
【図１】
2013230334.tif 000003
【図２】
2013230334.tif 000004
【図３】
2013230334.tif 000005
【図４】
2013230334.tif 000006
【図５】
2013230334.tif 000007
【図６】
2013230334.tif 000008
【図７】
2013230334.tif 000009
【図８】
2013230334.tif 000010
【図９】
2013230334.tif 000011
【図１０】
2013230334.tif 000012
【図１１】
2013230334.tif 000013